(57)【特許請求の範囲】
【請求項１】
搬送路を搬送される紙葉類に含まれる磁性体の磁気質を検知して判別する磁気質判別装置であって、  前記紙葉類の搬送面と所定角度を成す方向を磁界方向とするバイアス磁界を前記搬送路上に発生させて、前記バイアス磁界の変化を検出することにより前記磁性体の磁気量を検知する磁気検知ユニットと、  前記磁気検知ユニットより搬送方向上流側に配置され、着磁磁界を前記搬送路上に発生させて前記磁性体を着磁する着磁ユニットとを備え、  前記磁気検知ユニットが磁気量を検知する１つの磁気検知位置で、保磁力が異なる高保磁力磁性体、中保磁力磁性体、低保磁力磁性体の３種類の磁性体の磁化方向が保磁力に応じてそれぞれ異なる方向となるように、前記着磁磁界及び前記バイアス磁界が設定されていることを特徴とする磁気質判別装置。
【請求項２】
前記着磁磁界の磁界強度は、前記高保磁力磁性体を飽和磁化状態に着磁する磁界強度に設定されて、  前記バイアス磁界の磁界強度は、前記低保磁力磁性体を飽和磁化状態に磁化する磁界強度かつその他の磁性体を飽和磁化状態に磁化しない磁界強度に設定されることを特徴とする請求項１に記載の磁気質判別装置。
【請求項３】
前記着磁磁界の磁界強度を前記高保磁力磁性体の保磁力の１．５倍以上に設定して、  前記バイアス磁界の磁界強度を前記中保磁力磁性体の保磁力の２倍以下に設定することを特徴とする請求項２に記載の磁気質判別装置。
【請求項４】
搬送方向を０度として、  前記バイアス磁界の磁界方向を３０〜６０度又は１２０〜１５０度に設定して、前記着磁磁界の磁界方向を８０〜１００度を除く角度範囲に設定するか、又は  前記バイアス磁界の磁界方向を−３０〜−６０度又は−１２０〜−１５０度に設定して、前記着磁磁界の磁界方向を８０〜１００度を除く角度範囲に設定することを特徴とする請求項１、２又は３に記載の磁気質判別装置。
【請求項５】
搬送方向を０度として、  前記バイアス磁界の磁界方向と前記着磁磁界の磁界方向の組み合わせを、  ３０〜６０度と−１００〜−１７０度、  １２０〜１５０度と−１０〜−８０度、  −３０〜−６０度と−１００〜−１７０度及び  −１２０〜−１５０度と−１０〜−８０度のいずれかに設定することを特徴とする請求項１、２又は３に記載の磁気質判別装置。
【請求項６】
前記磁気検知ユニットでは、磁性体を検知した検知信号の波形形状に基づいて、前記磁性体の保磁力を判別することを特徴とする請求項１〜５のいずれか１項に記載の磁気質判別装置。
【請求項７】
磁性体を検知した検知信号がピーク位置に対して略左右対称な波形を示した場合には、前記磁性体は低保磁力磁性体であると判定することを特徴とする請求項６に記載の磁気質判別装置。
【請求項８】
低保磁力磁性体を検知した信号を正出力としたときに、磁性体を検知した検知信号が正のピーク値及び負のピーク値を有し、ピーク位置に対して左右非対称な波形を示す際には、検知信号に占める前記正出力と負出力との割合から、前記正出力の占める割合の方が高い場合には中保磁力磁性体であると判定して、前記負出力の占める割合の方が高い場合には高保磁力磁性体であると判定することを特徴とする請求項６に記載の磁気質判別装置。
【請求項９】
磁性体を検知した検知信号が所定値以上の正及び負のピーク値を有し、前記中保磁力磁性体の検知信号と前記高保磁力磁性体の検知信号とを加算した波形を示す場合には、前記磁性体は前記中保磁力磁性体と前記高保磁力磁性体との積層磁性体、又は前記低保磁力磁性体と前記高保磁力磁性体との積層磁性体であると判定することを特徴とする請求項６に記載の磁気質判別装置。
【請求項１０】
前記着磁磁界は、前記搬送路上の第１磁界領域と、前記搬送路上で前記第１磁界領域より搬送方向下流側にある第２磁界領域を含み、  前記第１磁界領域の磁界強度が前記高保磁力磁性体を飽和磁化状態又はそれに近い状態に着磁する磁界強度に設定されて、前記第２磁界領域の磁界強度が、前記中保磁力磁性体を飽和磁化状態又はそれに近い状態に着磁する磁界強度に設定されると共に、前記第１磁界領域の磁界方向と前記第２磁界領域の磁界方向とが異なる方向に設定されていることを特徴とする請求項１に記載の磁気質判別装置。
【請求項１１】
前記第１磁界領域は、磁界方向が搬送方向を０度として−１００度〜−１７０度の範囲、磁界強度が前記高保磁力磁性体の保磁力の１．５倍以上に設定されることを特徴とする請求項１０に記載の磁気質判別装置。
【請求項１２】
前記第２磁界領域は、磁界方向が搬送方向を０度として１００度〜１８０度の範囲、磁界強度が前記中保磁力磁性体の保磁力の１．５倍以上かつ前記高保磁力磁性体の保磁力の１倍以下に設定されることを特徴とする請求項１０又は１１に記載の磁気質判別装置。
【請求項１３】
前記着磁ユニットは、着磁磁石と、該着磁磁石より搬送方向下流側に配置された導磁体とを含むことを特徴とする請求項１０、１１又は１２に記載の磁気質判別装置。
【請求項１４】
前記着磁磁石は、前記搬送路に対向する上面側に、搬送面に略平行な磁極面と、前記磁極面よりも搬送方向下流側で前記搬送面からの距離が前記磁極面よりも離れた磁極面とを含むことを特徴とする請求項１３に記載の磁気質判別装置。
【請求項１５】
前記着磁磁石は、前記搬送路に対向する上面の搬送方向下流側に面取領域を有することを特徴とする請求項１３又は１４に記載の磁気質判別装置。
【請求項１６】
搬送路を搬送される紙葉類に含まれる磁性体の磁気質を検知して判別する磁気質判別装置であって、  前記紙葉類の搬送面と所定角度を成す方向を磁界方向とするバイアス磁界を前記搬送路上に発生させて、前記バイアス磁界の変化を検出することにより前記磁性体の磁気量を検知する磁気検知ユニットと、  前記磁気検知ユニットより搬送方向上流側に配置され、着磁磁界を前記搬送路上に発生させて前記磁性体を着磁する着磁ユニットとを備え、  保磁力の異なる複数種類の磁性体を判別するために、  搬送方向を０度として、  前記バイアス磁界の磁界方向を３０〜６０度又は１２０〜１５０度に設定して、前記着磁磁界の磁界方向を８０〜１００度を除く角度範囲に設定するか、又は  前記バイアス磁界の磁界方向を−３０〜−６０度又は−１２０〜−１５０度に設定して、前記着磁磁界の磁界方向を８０〜１００度を除く角度範囲に設定することを特徴とする磁気質判別装置。
【請求項１７】
搬送路を搬送される紙葉類に含まれる磁性体の磁気質を検知して判別する磁気質判別装置であって、  前記紙葉類の搬送面と所定角度を成す方向を磁界方向とするバイアス磁界を前記搬送路上に発生させて、前記バイアス磁界の変化を検出することにより前記磁性体の磁気量を検知する磁気検知ユニットと、  前記磁気検知ユニットより搬送方向上流側に配置され、着磁磁界を前記搬送路上に発生させて前記磁性体を着磁する着磁ユニットとを備え、  保磁力の異なる複数種類の磁性体を判別するために、  搬送方向を０度として、  前記バイアス磁界の磁界方向と前記着磁磁界の磁界方向の組み合わせを、  ３０〜６０度と−１００〜−１７０度、  １２０〜１５０度と−１０〜−８０度、  −３０〜−６０度と−１００〜−１７０度及び  −１２０〜−１５０度と−１０〜−８０度のいずれかに設定することを特徴とする磁気質判別装置。
【請求項１８】
前記磁気検知ユニットが磁性体を検知した検知信号が、ピーク位置に対して略左右対称な波形を示した場合には、前記磁性体は低保磁力磁性体であると判定することを特徴とする請求項１６又は１７に記載の磁気質判別装置。
【請求項１９】
低保磁力磁性体を検知した信号を正出力としたときに、  磁性体を検知した検知信号が、正のピーク値及び負のピーク値を有し、ピーク位置に対して左右非対称な波形を示す際には、検知信号に占める正出力と負出力との割合を比較して、前記正出力の占める割合の方が高い場合には中保磁力磁性体であると判定して、前記負出力の占める割合の方が高い場合には高保磁力磁性体であると判定することを特徴とする請求項１８に記載の磁気質判別装置。
【請求項２０】
搬送路を搬送される紙葉類に含まれる磁性体の磁気質を検知して判別する磁気質判別方法であって、  前記紙葉類の搬送面と所定角度を成す方向を磁界方向とするバイアス磁界を前記搬送路上に発生させて前記バイアス磁界の変化を検出することにより前記磁性体の磁気量を検知する磁気量検知工程と、  前記磁気量検知工程で磁気量を検知する位置よりも搬送方向上流側で、着磁磁界を前記搬送路上に発生させて前記磁性体を着磁する着磁工程とを含み、  前記磁気量検知工程で磁気量を検知する際には、磁気量を検知する１つの磁気検知位置で、保磁力が異なる３種類の磁性体の磁化方向が保磁力に応じてそれぞれ異なる方向となるように、前記着磁磁界及び前記バイアス磁界が設定されていることを特徴とする磁気質判別方法。
【請求項２１】
前記着磁磁界は、前記搬送路上の第１磁界領域と、前記搬送路上で前記第１磁界領域より搬送方向下流側にある第２磁界領域を含み、  前記第１磁界領域の磁界強度が判別対象とする磁性体のうち最大の保磁力を有する高保磁力磁性体を飽和磁化状態又はそれに近い状態に着磁する磁界強度に設定されて、前記第２磁界領域の磁界強度が、前記高保磁力磁性体よりも保磁力の小さい中保磁力磁性体を飽和磁化状態又はそれに近い状態に着磁する磁界強度に設定されると共に、前記第１磁界領域の磁界方向と前記第２磁界領域の磁界方向とが異なる方向に設定されていることを特徴とする請求項２０に記載の磁気質判別方法。
【発明の詳細な説明】
【技術分野】
【０００１】
この発明は、紙葉類の磁気を検知する磁気質判別装置及び磁気質判別方法に関し、特に、保磁力の異なる複数種類の磁性体を判別することができる磁気質判別装置及び磁気質判別方法に関する。
【背景技術】
【０００２】
従来、偽造防止の観点から、小切手や商品券等の紙葉類の印刷に磁性体を含んだ磁気インクが用いられている。磁気を利用したセキュリティ技術は年々高度化しており、最近の紙葉類では、１枚の紙葉類に磁気特性の異なる複数種類の磁性体が含まれる場合もある。このような紙葉類の真偽判定を行うためには、紙葉類に含まれるそれぞれの磁性体を判別する必要がある。【０００３】
紙葉類に含まれる複数種類の磁性体を判別する装置として、例えば、特許文献１には、保磁力が異なる磁性体を判別する装置が開示されている。この装置では、高保磁力の磁性体及び低保磁力の磁性体を高磁力の第１磁石によって同一の磁化方向に磁化してから第１センサによって両磁性体の磁気による検出信号を得る。その後、低磁力の第２磁石によって低保磁力の磁性体の磁化方向を変更してから、第２センサによって高保磁力の磁性体の磁気のみによる検出信号を得る。そして、高保磁力の磁性体及び低保磁力の磁性体から得られた第１センサによる検出信号と、高保磁力の磁性体から得られた第２センサによる検出信号との差分として低保磁力の磁性体のみから得られる検出信号を得るものである。
【先行技術文献】
【特許文献】
【０００４】
【特許文献１】米国特許出願公開第２０１０／０３２７０６２号明細書
【発明の概要】
【発明が解決しようとする課題】
【０００５】
しかしながら、上記従来技術によれば、高磁力及び低磁力の２つの磁石と２つの磁気センサとが必要となるため、部品点数が増えて製造コストが増加するという問題があった。また、構造が複雑である上に磁気質判別装置のサイズが大きくなるという問題もあった。【０００６】
本発明は、上述した従来技術による問題点を解消するためになされたもので、装置の小型化を実現しながら、保磁力の異なる複数種類の磁性体を判別することができる磁気質判別装置及び磁気質判別方法を提供することを目的とする。
【課題を解決するための手段】
【０００７】  上述した課題を解決し、目的を達成するため、本発明は、搬送路を搬送される紙葉類に含まれる磁性体の磁気質を検知して判別する磁気質判別装置であって、前記紙葉類の搬送面と所定角度を成す方向を磁界方向とするバイアス磁界を前記搬送路上に発生させて、前記バイアス磁界の変化を検出することにより前記磁性体の磁気量を検知する磁気検知ユニットと、前記磁気検知ユニットより搬送方向上流側に配置され、着磁磁界を前記搬送路上に発生させて前記磁性体を着磁する着磁ユニットとを備える。  また、上記発明において、前記磁気検知ユニットが磁気量を検知する１つの磁気検知位置で、保磁力が異なる高保磁力磁性体、中保磁力磁性体、低保磁力磁性体の３種類の磁性体の磁化方向が保磁力に応じてそれぞれ異なる方向となるように、前記着磁磁界及び前記バイアス磁界が設定されていることを特徴とする。【０００８】  また、本発明は、上記発明において、前記着磁磁界の磁界強度は、前記高保磁力磁性体を飽和磁化状態に着磁する磁界強度に設定されて、前記バイアス磁界の磁界強度は、前記低保磁力磁性体を飽和磁化状態に磁化する磁界強度かつその他の磁性体を飽和磁化状態に磁化しない磁界強度に設定されることを特徴とする。【０００９】  また、本発明は、上記発明において、前記着磁磁界の磁界強度を前記高保磁力磁性体の保磁力の１．５倍以上に設定して、前記バイアス磁界の磁界強度を前記中保磁力磁性体の保磁力の２倍以下に設定することを特徴とする。【００１０】  また、本発明は、上記発明において、搬送方向を０度として、前記バイアス磁界の磁界方向を３０〜６０度又は１２０〜１５０度に設定して、前記着磁磁界の磁界方向を８０〜１００度を除く角度範囲に設定するか、又は前記バイアス磁界の磁界方向を−３０〜−６０度又は−１２０〜−１５０度に設定して、前記着磁磁界の磁界方向を８０〜１００度を除く角度範囲に設定することを特徴とする。【００１１】  また、本発明は、上記発明において、搬送方向を０度として、前記バイアス磁界の磁界方向と前記着磁磁界の磁界方向の組み合わせを、３０〜６０度と−１００〜−１７０度、１２０〜１５０度と−１０〜−８０度、−３０〜−６０度と−１００〜−１７０度及び−１２０〜−１５０度と−１０〜−８０度のいずれかに設定することを特徴とする。【００１２】
また、本発明は、上記発明において、前記磁気検知ユニットでは、磁性体を検知した検知信号の波形形状に基づいて、前記磁性体の保磁力を判別することを特徴とする。【００１３】
また、本発明は、上記発明において、磁性体を検知した検知信号がピーク位置に対して略左右対称な波形を示した場合には、前記磁性体は低保磁力磁性体であると判定することを特徴とする。【００１４】
また、本発明は、上記発明において、低保磁力磁性体を検知した信号を正出力としたときに、磁性体を検知した検知信号が正のピーク値及び負のピーク値を有し、ピーク位置に対して左右非対称な波形を示す際には、検知信号に占める前記正出力と負出力との割合から、前記正出力の占める割合の方が高い場合には中保磁力磁性体であると判定して、前記負出力の占める割合の方が高い場合には高保磁力磁性体であると判定することを特徴とする。【００１５】
また、本発明は、上記発明において、磁性体を検知した検知信号が所定値以上の正及び負のピーク値を有し、前記中保磁力磁性体の検知信号と前記高保磁力磁性体の検知信号とを加算した波形を示す場合には、前記磁性体は前記中保磁力磁性体と前記高保磁力磁性体との積層磁性体、又は前記低保磁力磁性体と前記高保磁力磁性体との積層磁性体であると判定することを特徴とする。【００１６】  また、本発明は、上記発明において、前記着磁磁界は、前記搬送路上の第１磁界領域と、前記搬送路上で前記第１磁界領域より搬送方向下流側にある第２磁界領域を含み、前記第１磁界領域の磁界強度が前記高保磁力磁性体を飽和磁化状態又はそれに近い状態に着磁する磁界強度に設定されて、前記第２磁界領域の磁界強度が、前記中保磁力磁性体を飽和磁化状態又はそれに近い状態に着磁する磁界強度に設定されると共に、前記第１磁界領域の磁界方向と前記第２磁界領域の磁界方向とが異なる方向に設定されていることを特徴とする。【００１７】
また、本発明は、上記発明において、前記第１磁界領域は、磁界方向が搬送方向を０度として−１００度〜−１７０度の範囲、磁界強度が前記高保磁力磁性体の保磁力の１．５倍以上に設定されることを特徴とする。【００１８】
また、本発明は、上記発明において、前記第２磁界領域は、磁界方向が搬送方向を０度として１００度〜１８０度の範囲、磁界強度が前記中保磁力磁性体の保磁力の１．５倍以上かつ前記高保磁力磁性体の保磁力の１倍以下に設定されることを特徴とする。【００１９】
また、本発明は、上記発明において、前記着磁ユニットは、着磁磁石と、該着磁磁石より搬送方向下流側に配置された導磁体とを含むことを特徴とする。【００２０】
また、本発明は、上記発明において、前記着磁磁石は、前記搬送路に対向する上面側に、搬送面に略平行な磁極面と、前記磁極面よりも搬送方向下流側で前記搬送面からの距離が前記磁極面よりも離れた磁極面とを含むことを特徴とする。【００２１】
また、本発明は、上記発明において、前記着磁磁石は、前記搬送路に対向する上面の搬送方向下流側に面取領域を有することを特徴とする。【００２２】  また、本発明は、搬送路を搬送される紙葉類に含まれる磁性体の磁気質を検知して判別する磁気質判別方法であって、前記紙葉類の搬送面と所定角度を成す方向を磁界方向とするバイアス磁界を前記搬送路上に発生させて前記バイアス磁界の変化を検出することにより前記磁性体の磁気量を検知する磁気量検知工程と、前記磁気量検知工程で磁気量を検知する位置よりも搬送方向上流側で、着磁磁界を前記搬送路上に発生させて前記磁性体を着磁する着磁工程とを含み、前記磁気量検知工程で磁気量を検知する際には、磁気量を検知する１つの磁気検知位置で、保磁力が異なる３種類の磁性体の磁化方向が保磁力に応じてそれぞれ異なる方向となるように、前記着磁磁界及び前記バイアス磁界が設定されていることを特徴とすることを特徴とする。【００２３】  また、本発明は、上記発明において、前記着磁磁界は、前記搬送路上の第１磁界領域と、前記搬送路上で前記第１磁界領域より搬送方向下流側にある第２磁界領域を含み、前記第１磁界領域の磁界強度が判別対象とする磁性体のうち最大の保磁力を有する高保磁力磁性体を飽和磁化状態又はそれに近い状態に着磁する磁界強度に設定されて、前記第２磁界領域の磁界強度が、前記高保磁力磁性体よりも保磁力の小さい中保磁力磁性体を飽和磁化状態又はそれに近い状態に着磁する磁界強度に設定されると共に、前記第１磁界領域の磁界方向と前記第２磁界領域の磁界方向とが異なる方向に設定されていることを特徴とする。
【発明の効果】
【００２４】
本発明によれば、磁性体を含む紙葉類が搬送される搬送面と所定角度を成す磁界方向にバイアス磁界を発生して該バイアス磁界の変化に基づいて磁気を検知する磁気量検知型の磁気検知ユニットと、搬送方向上流側でバイアス磁界の磁界方向と異なる方向の着磁磁界で磁性体を磁化する着磁ユニットとによって、磁気検知ユニットによる磁気検知時には、磁性体が保磁力に応じて異なる磁化方向に磁化されているので、磁性体の保磁力に応じて異なる検知波形を得て各磁性体を判別することができる。
【図面の簡単な説明】
【００２５】
【図１】図１は、実施例１に係る磁気質判別装置によって行う磁気質判別方法を説明する図である。
【図２】図２は、着磁磁界及びバイアス磁界の磁界強度を説明する図である。
【図３】図３は、磁性体の磁気検知時の磁化状態を説明する図である。
【図４】図４は、磁化状態と磁気センサによる検知信号との関係について説明する図である。
【図５】図５は、磁気質判別装置によって得られる磁性体の検知信号について説明する図である。
【図６】図６は、着磁磁界の磁界方向とバイアス磁界の磁界方向とが異なる磁気質判別装置について説明する図である。
【図７】図７は、図６に示す磁気質判別装置で判別対象とする磁性体が異なる場合の着磁磁界の磁界方向について説明する図である。
【図８】図８は、逆方向搬送の磁気質判別装置によって行う磁気質判別方法を説明する図である。
【図９】図９は、逆方向搬送の磁気質判別装置によって得られる磁気検知信号について説明する図である。
【図１０】図１０は、実施例２に係る磁気質判別装置によって行う磁気質判別方法を説明する図である。
【図１１】図１１は、磁性体の磁化方向を所定角度とした場合の高保磁力磁性体及び中保磁力磁性体の磁化状態を説明する図である。
【図１２】図１２は、実施例２に係る着磁磁界の磁界方向とバイアス磁界の磁界方向とが異なる磁気質判別装置の例を示す図である。
【図１３】図１３は、実施例２に係る逆方向搬送時の磁気質判別方法を説明する図である。
【図１４】図１４は、搬送路上での紙葉類の通過位置を規制するための構成例を示す図である。
【図１５】図１５は、着磁磁石及び導磁体の側面形状の例を示す図である。
【図１６】図１６は、着磁磁石の側面形状の別の例を示す図である。
【図１７】図１７は、着磁磁石の配置角度又は着磁磁石２０の磁化角度によって着磁磁界の磁界方向を調整する例を示す図である。
【発明を実施するための形態】
【００２６】
以下に添付図面を参照して、この発明に係る磁気質判別装置及び磁気質判別方法の好適な実施形態を詳細に説明する。本実施形態に係る磁気質判別装置は、小切手、商品券、有価証券等の紙葉類で利用される様々な磁性体による磁気を検知して磁性体の種類を判別する機能を有する。磁気質判別装置は、例えば紙葉類処理装置内で、紙葉類に含まれる磁性体の種類を判別して真の紙葉類であるか否かを判定するために利用される。
【００２７】
本実施形態に係る磁気質判別装置は、磁性体を検知した信号から、磁性体が高保磁力磁性体、中保磁力磁性体及び低保磁力磁性体のいずれであるかを判別することができる。判別対象とする磁性体は、保磁力が大きい順に、高保磁力磁性体、中保磁力磁性体、低保磁力磁性体となる。また、高保磁力磁性体、中保磁力磁性体及び低保磁力磁性体とは、高保磁力磁性体と中保磁力磁性体の保磁力の比、中保磁力磁性体と低保磁力磁性体の保磁力の比がそれぞれ２倍以上あるものを言うが、保磁力の比は１０倍以上あることが好ましい。具体的には、例えば、磁気質判別装置１は、５０Ｏｅの磁性体を低保磁力磁性体、３００Ｏｅの磁性体を中保磁力磁性体、３０００Ｏｅの磁性体を高保磁力磁性体として判別を行うが、以下では、それぞれの磁性体を低保磁力磁性体、中保磁力磁性体、高保磁力磁性体と記載する。
【実施例１】
【００２８】
図１は、本実施例に係る磁気質判別装置１による磁気質判別方法を説明するための模式図である。図１（ｂ）は磁気質判別装置１の概要を示し、同図（ａ）は保磁力が異なる３種類の磁性体の磁化状態を示している。【００２９】
図１（ｂ）に示すように、磁気質判別装置１は、装置上方を搬送される紙葉類１００に含まれる磁性体を着磁するための着磁ユニット３と、紙葉類１００に含まれる磁性体の磁気を検知するための磁気検知ユニット２とを有している。【００３０】
紙葉類１００は、図示しない搬送機構によって、搬送路を図１（ｂ）に示す矢印４００の方向へ搬送される。磁気質判別装置１は搬送路の下方に設置され、磁気質判別装置１内では、着磁ユニット３が磁気検知ユニット２より搬送方向上流側に配置されている。紙葉類１００に含まれる磁性体は着磁ユニット３の上方を通過する際に着磁される。そして、その後、紙葉類１００がさらに搬送されて、磁気検知ユニット２の上方を通過する際に磁性体を検知する信号が取得され、得られた検知信号から磁性体の種類が判別される。【００３１】
着磁ユニット３は着磁磁石２０を含み、磁界の方向が図１（ｂ）に破線矢印で示す方向となるように着磁磁界を発生させる。着磁磁界は、判別対象とする磁性体の全てを飽和磁化状態に着磁する磁界強度を有している。具体的には、判別対象とする磁性体のうち最大の保磁力を有する高保磁力磁性体を飽和磁化状態に着磁するため、着磁磁界の磁界強度を、高保磁力磁性体の保磁力の１．５倍以上とする。ただし、完全に飽和磁化状態とするためには、着磁磁界の磁界強度は、高保磁力磁性体の保磁力の３倍以上とすることが好ましい。【００３２】
なお、磁性体検知時に、保磁力の異なる各磁性体の磁化方向を異なる方向とすることができれば、高保磁力磁性体を完全な飽和磁化状態に着磁する必要はなく、飽和磁化状態に近い状態に着磁できればよい。詳細については後述する。【００３３】
磁気検知ユニット２は、バイアス磁界を発生させるためのバイアス磁石３０と、バイアス磁界内を通過する磁性体を検知して信号を出力する磁気センサ１０とを有している。バイアス磁石３０は、その周囲に図１（ｂ）に破線矢印で示すようにバイアス磁界を発生させる。磁気検知ユニット２では、磁気センサ１０が、紙葉類１００が搬送される搬送面（ＸＹ平面）と角度を成すように傾いた状態で配置されることを特徴としている。このような構成を有することにより、磁気センサ１０からは、磁性体の磁気量に応じた検知信号が出力される。なお、本実施例では、磁気センサ１０が１つの磁気検出素子を含む場合を示すが、磁気センサ１０が２つの磁気検出素子を含む態様であっても構わない。磁気センサ１０は、磁性体が通過することにより、図１（ｂ）で上下方向に揺らぐバイアス磁界の変化量を検出するように設置されている。例えば、磁気検出素子として磁気抵抗素子を利用して、この磁気抵抗素子の抵抗値の変化を電圧値の変化として出力し、この電圧値を磁性体の検出信号として利用する。このような磁気量検知型の磁気検知ユニット２の構成、機能及び動作については、例えば、日本特許第４８９４０４０号公報に開示されているので詳細な説明は省略する。【００３４】
磁気検知ユニット２で発生させるバイアス磁界の磁界強度についても、着磁磁界の磁界強度と同様に、判別対象とする磁性体の保磁力に応じて設定される。図２は、磁気質判別装置１が判別対象とする低保磁力磁性体、中保磁力磁性体及び高保磁力磁性体の３種類の磁性体の飽和磁化曲線を模式的に示したものである。バイアス磁界の磁界強度は、中保磁力磁性体の保磁力６０２と高保磁力磁性体の保磁力６０３との間で、低保磁力磁性体を飽和磁化状態に着磁しながら中保磁力磁性体を飽和磁化状態に着磁することのないように設定される。例えば、中保磁力磁性体の保磁力６０２の１．５倍となるように設定する。なお、上述した着磁ユニット３による着磁磁界の磁界強度は、図２の点６０１に対応する。
【００３５】
次に、図１（ｂ）に示す磁気質判別装置１によって、高保磁力磁性体、中保磁力磁性体、及び低保磁力磁性体の各磁性体を判別する方法について説明する。なお、以下では、磁界の方向を図中矢印と角度によって説明する。角度については、図１（ａ）右図に示すように、搬送方向４００と一致するＹ軸正方向を０度として、搬送路上方となるＺ軸正方向を９０度、搬送方向４００の逆方向となるＹ軸負方向を１８０度として表す。また、同じくＹ軸正方向を０度として、搬送路下方となるＺ軸負方向を−９０度、Ｙ軸負方向を−１８０度として表すこととする。【００３６】
着磁ユニット３による着磁磁界の磁界強度は、例えば、図１（ｂ）に示す着磁磁石２０のＳ極側かつ搬送方向側のエッジに対応する搬送路上の位置Ｐ１で、高保磁力磁性体の保磁力（３０００Ｏｅ）の１．５倍の強度（４５００Ｇ）であるものとする。また、例えば、磁気検知ユニット２におけるバイアス磁界の磁界強度は、磁気センサ１０により各磁性体の磁気を検知する搬送路上の位置Ｐ４で、中保磁力磁性体の保磁力（３００Ｏｅ）の１．５倍（４５０Ｇ）であるものとする。【００３７】
磁気センサ１０により磁性体の磁気を検知する位置Ｐ４では、バイアス磁界の磁界方向３０２が３０〜６０度の間に設定される。位置Ｐ１の着磁磁界の磁界方向２０１は判別対象とする磁性体の保磁力に基づいて設定されるが、例えば、高保磁力磁性体を判別対象とする場合には−１００〜−１７０度の範囲内となるように設定される。以下では、位置Ｐ１の磁界方向が−１６０度であるものとして説明する。【００３８】
紙葉類１００に含まれる磁性体が高保磁力磁性体（３０００Ｏｅ）である場合には、着磁ユニット３の上方を搬送方向４００へ搬送されると、着磁磁界の磁界強度（４５００Ｇ）が強力であるため、図１（ｂ）に示す位置Ｐ１を通過する際に、飽和磁化状態又は飽和磁化状態に近い状態に着磁される。このとき、図１（ａ）に示すように、高保磁力磁性体の磁化方向５０１ａは、位置Ｐ１における着磁磁界の磁界方向２０１と同じ方向（−１６０度付近）となる。高保磁力磁性体は、その磁化方向が−１５０〜−１７０度の間で飽和磁化状態となる。【００３９】
紙葉類１００は、図１（ｂ）に示す位置Ｐ１を通過して、さらに搬送方向４００へ搬送されるが、着磁磁界の磁界強度は徐々に弱まるため、この影響を受けることはない。このため、高保磁力磁性体の磁化状態は変化せず、位置Ｐ２を通過する際の高保磁力磁性体の磁化方向５０２ａは、着磁位置Ｐ１での磁化方向５０１ａを保った方向となる。【００４０】
紙葉類１００がさらに搬送されて、バイアス磁界に進入しても、バイアス磁界の磁界強度（４５０Ｇ）が高保磁力磁性体の保磁力（３０００Ｏｅ）の１／６以下と弱いため影響を受けることはない。このため、位置Ｐ３を通過する際の磁化方向５０３ａ及び位置Ｐ４を通過する際の磁化方向５０４ａについても、着磁時と同じ磁化方向５０１ａ（−１６０度付近）を保った方向となる。【００４１】
紙葉類１００に含まれる磁性体が中保磁力磁性体である場合には、図１（ｂ）に示すように、着磁ユニット３の上方を搬送方向４００へ搬送されると、高保磁力磁性体の場合と同様に位置Ｐ１で飽和磁化状態に着磁される。このときの中保磁力磁性体の磁化方向５０１ｂは、高保磁力磁性体の場合と同様に、位置Ｐ１での着磁磁界の磁界方向２０１と同じ方向となる。ところが、中保磁力磁性体では、高保磁力磁性体に比べて保磁力が小さいために、搬送方向４００へ搬送される間、着磁磁界による影響を受け続け、磁化方向は着磁磁界の方向に応じて変化する。そして、位置Ｐ２を通過するときには、中保磁力磁性体の磁化方向５０２ｂは着磁磁界の磁界方向２０２と同じ方向（１８０度付近）となる。更に、搬送されると着磁磁界の磁界方向が１８０度から１７０度の方向に変化しながら磁界強度は減衰し、中保磁力磁性体の磁化への作用は無くなる。【００４２】
紙葉類１００がさらに搬送されて、バイアス磁界に進入すると、ここでもバイアス磁界による影響を受ける。位置Ｐ３では、位置Ｐ３のバイアス磁界の磁界方向３０１と一致する方向へ向けて、位置Ｐ２での磁化方向５０２ｂから僅かに回転した磁化方向５０３ｂとなる。そして、位置Ｐ４でも該位置でのバイアス磁界の方向３０２と一致する方向へ向けて、位置Ｐ３の磁化方向５０３ｂから僅かに回転した磁化方向５０４ｂとなる。ただし、バイアス磁界の磁界強度（４５０Ｇ）は、中保磁力磁性体の保磁力（３００Ｏｅ）を飽和磁化状態にする磁界強度より小さいために、中保磁力磁性体の最終的な磁化方向は、着磁磁界を抜けるときの磁化方向５０２ｂ（１８０度付近）と位置Ｐ４でのバイアス磁界の磁界方向３０２（３０〜６０度）との間の磁化方向５０４ｂとなる。例えば、位置Ｐ４での中保磁力磁性体の磁化方向５０４ｂは１２０度付近となる。【００４３】
紙葉類１００に含まれる磁性体が低保磁力磁性体である場合には、図１（ｂ）に示すように、着磁ユニット３の上方を搬送方向４００へ搬送されると、他の磁性体の場合と同様に位置Ｐ１で飽和磁化状態に着磁される。このときの低保磁力磁性体の磁化方向５０１ｃは、他の磁性体と同様に、位置Ｐ１での着磁磁界の磁界方向２０１と同じ方向となる。ところが、低保磁力磁性体は保磁力が小さいために、搬送方向４００へ搬送される間、着磁磁界による影響を受け続け、磁化方向は着磁磁界の磁界方向に応じて変化する。このため、中保磁力磁性体と同様に、位置Ｐ２を通過するときの磁化方向５０２ｃは、着磁磁界の磁界方向２０２と同じ方向（１８０度付近）となる。【００４４】
紙葉類１００がさらに搬送されて、バイアス磁界に進入すると、ここでもバイアス磁界による影響を受ける。位置Ｐ３では、低保磁力磁性体の磁化方向５０２ｃは該位置でのバイアス磁界の磁界方向３０１と同じ磁化方向５０３ｃとなり、位置Ｐ４でもバイアス磁界の磁界方向３０２と同じ磁化方向５０４ｃとなる。バイアス磁界の磁界強度（４５０Ｇ）が低保磁力磁性体の保磁力（５０Ｏｅ）より十分に大きく、低保磁力磁性体が各位置で飽和磁化状態となるために、各位置での低保磁力磁性体の磁化方向は、各位置でのバイアス磁界の方向と一致する方向となる。【００４５】
磁性体を飽和磁化状態とするためには、保磁力の３倍の磁界強度が必要とされている。このため、磁気質判別装置１では、磁気センサ１０による磁気を検知する位置Ｐ４でのバイアス磁界の磁界強度を、判別対象とする低保磁力磁性体の保磁力の３倍以上かつ中保磁力磁性体の保磁力の２倍以下としている。ただし、中保磁力磁性体の保磁力に相当する磁界の近傍を除く。このバイアス磁界では中保磁力の磁性体の出力が０となる為である。例えば、保磁力５０Ｏｅの低保磁力磁性体を飽和磁化状態としながら、保磁力３００Ｏｅの中保磁力磁性体を飽和磁化状態に着磁することがないように、磁界強度を４５０Ｏｅに設定する。これにより、低保磁力磁性体の位置Ｐ４での磁化方向５０４ｃを、位置Ｐ４でのバイアス磁界方向３０２と同じ方向とすることができる。これに対して、中保磁力磁性体の磁化方向はバイアス磁界内で変化するが、変化後もバイアス磁界の磁化方向３０２と一致しない方向となるように着磁磁界が設定されている。このため、位置Ｐ４での中保磁力磁性体の磁化方向５０４ｂと低保磁力磁性体の磁化方向５０４ｃとを異なる方向とすることができる。【００４６】
また、高保磁力磁性体では、バイアス磁界による影響を受けることなく着磁磁界の磁界方向２０１と同じ磁化方向５０１ａを維持するが、着磁磁界の磁界方向２０１が、位置Ｐ４での中保磁力磁性体の磁化方向５０４ｂ及び低保磁力磁性体の磁化方向５０４ｃと異なる方向となるように設定されているので、位置Ｐ４での高保磁力磁性体の磁化方向５０４ａを、他の磁性体の磁化方向５０４ｂ及び５０４ｃと異なる方向とすることができる。なお、高保磁力磁性体の磁化方向５０４ａを、中保磁力磁性体及び低保磁力磁性体の磁化方向５０４ｂ、５０４ｃと異なる方向とすることができれば、高保磁力磁性体を飽和着磁磁化状態に着磁する必要はなく、飽和着磁状態に近い状態に着磁する態様であっても構わない。【００４７】
このように、磁気質判別装置１では、磁気検知ユニット２によって磁気を検知する搬送路上の位置Ｐ４で、高保磁力磁性体の磁化方向５０４ａ、中保磁力磁性体の磁化方向５０４ｂ及び低保磁力磁性体の磁化方向５０４ｃが全て異なる方向となる点を１つの特徴としている。【００４８】
図１に示す磁気質判別装置１では、着磁ユニット３による着磁磁界の磁界強度を、高保磁力磁性体を飽和磁化状態に着磁可能な磁界強度として、バイアス磁界の磁界強度を高保磁力磁性体の磁化状態に影響しない磁界強度としている。また、高保磁力磁性体を飽和磁化状態に着磁する位置Ｐ１の着磁磁界の磁界方向２０１と、磁性体を検知する位置Ｐ４でのバイアス磁界の磁界方向３０２とを、これらの方向が原点に対して対向する象限内にある様に設定している。さらに、位置Ｐ４でのバイアス磁界の磁界強度を、低保磁力磁性体を飽和磁化状態に磁化する強度かつ中保磁力磁性体を飽和磁化状態に磁化しない強度としている。以上の通り設定することにより、位置Ｐ４において、高保磁力磁性体の磁化方向５０４ａを着磁磁界の磁界方向２０１と同じ方向として、低保磁力磁性体の磁化方向５０４ｃをバイアス磁界の磁界方向３０２として、中保磁力磁性体の磁化方向５０４ｂを高保磁力磁性体の磁化方向５０４ａと低保磁力磁性体の磁化方向５０４ｃとの間の方向とすることができる。なお、上述した着磁磁界の磁界方向及び磁界強度を実現することができれば、着磁ユニット３に含まれる磁石２０の種類、数及び形状等は特に限定されない。【００４９】
次に、このように、それぞれ異なる磁化方向に磁化された高保磁力磁性体、中保磁力磁性体及び低保磁力磁性体を磁気検知ユニット２の磁気センサ１０で検知した際に得られる検知信号について説明する。
【００５０】
図３は、磁化方向５０７〜５１０に磁化された磁性体の直下近傍（約０．５ｍｍ位置）におけるＺ軸方向の磁界分布を示している。磁化方向が上向き５０７のときにはＺ軸方向の磁界分布は図３（ａ）の様になり、磁化方向が左向き５０８のときにはＺ軸方向の磁界分布は図３（ｂ）の様になり、磁化方向が斜め方向５０９、５１０の場合には図３（ｃ）、（ｄ）の様になる。バイアス磁石３０によって発生するバイアス磁界中を、図３に示すように磁化された磁性体が通過するとバイアス磁界の方向及び密度に変化が生ずる。磁気センサ１０は、このバイアス磁界の変化を検知信号として出力する。なお、図３の左方向が図１の１８０度方向、図３の上方向が図１の９０度方向に対応している。【００５１】
図４は、バイアス磁界の変化と磁気センサ１０による検知信号との関係を説明する図である。図４では、通過する磁性体の磁化方向を上部に示し、バイアス磁界の磁力線の変化を下部に示している。図４（ａ）に示すように、磁気センサ１０が磁性体を検知する位置Ｐ４を磁化方向５０５の磁性体が通過すると、磁力線は破線で示した初期状態から実線で示すように上方向に変化する。このとき、磁気センサ１０からはバイアス磁界の磁界方向の変化及び磁束密度の変化に応じた正出力の検知信号が得られるように設定されている。これに対して、図４（ｂ）に示すように、磁気センサ１０が磁性体を検知する位置Ｐ４を磁化方向５０６の磁性体が通過すると、磁力線は破線で示した初期状態から実線で示したように下方向に変化する。このとき、磁気センサ１０からはバイアス磁界の磁界方向の変化及び磁束密度の変化に応じた負出力の検知信号が得られるように設定されている。【００５２】
図５は、図１（ｂ）に示す磁気質判別装置１で、高保磁力磁性体１０１、中保磁力磁性体１０２、低保磁力磁性体１０３及び積層磁性体１０４、１０５を磁気検知ユニット２で検知した際の検知信号の波形を示している。縦軸が磁気センサ１０からの出力、横軸が時間を示しており、各磁性体を含む紙葉類１００が位置Ｐ４を通過した際に磁気センサ１０から出力される検知信号が図５に示す波形となる。図５では、各図の上部に各検知信号に対応する各磁性体１０１〜１０５を示している。【００５３】
図５（ｃ）に示す低保磁力磁性体１０３では、略全域で正の出力を示し、波形はピーク位置に対して略左右対称な波形となる。低保磁力磁性体１０３については、バイアス磁界により飽和磁化される状態にあるため、磁気センサ１０による検知信号の波形は、低保磁力磁性体が発する磁界によるものとはならない。低保磁力磁性体は透磁率が高く磁力線を集めるように作用することから、低保磁力磁性体が位置Ｐ４に近づくほど磁気センサ１０から出力される検知信号の振幅が大きくなる。このため、低保磁力磁性体を検知して得られる検知信号は、位置Ｐ４近傍を通過する際に最大値を示して、その前後で略対称な波形を示す。なお、中保磁力磁性体及び高保磁力磁性体に関しては、着磁方向が上向き方向（８０〜１００度）以外であれば発生磁界が非対称であるため、検知信号は必ず最大値の前後にて非対称となる。【００５４】
図５（ｂ）は、中保磁力磁性体１０２の検知信号を示している。図１（ｂ）に示す磁気質判別装置１の位置Ｐ４では、中保磁力磁性体の磁化方向は左斜め上方を向いている。このときの中保磁力磁性体の直下近傍でのＺ軸方向の磁界分布は図３（ｄ）のようになっており、この磁界分布の形を右からたどるように磁気信号が検知される。その結果、図５（ｂ）に示すように、正の出力を示した後に負の出力を示す検知信号となる。このように、中保磁力磁性体１０２の検知信号では正の出力の割合が大きくなる。低保磁力磁性体１０３と同様に略全域で正の出力となるが、正の出力の波形はピーク位置に対して左右非対称な波形となることから、中保磁力磁性体１０２の検知信号と低保磁力磁性体１０３の検知信号とを区別することができる。【００５５】
図５（ａ）は、高保磁力磁性体１０１の検知信号を示している。図１（ｂ）に示す磁気質判別装置１の位置Ｐ４では、高保磁力磁性体の磁化方向は左斜め下方を向いている。このときの高保磁力磁性体の直下近傍でのＺ軸方向の磁界分布は図３（ｃ）のようになっており、この磁界分布の形を右からたどるように磁気信号が検知される。その結果、図５（ａ）に示すように、正の出力を示した後に負の出力を示す検知信号となる。中保磁力磁性体１０２と同様に正の出力で左右非対称の波形を示すが、高保磁力磁性体１０１の検知信号では図５（ｂ）に示す中保磁力磁性体１０２の検知信号に比べて負の出力の割合が大きくなることから、高保磁力磁性体１０１の検知信号と、低保磁力磁性体１０３及び中保磁力磁性体１０２の検知信号とを区別することができる。【００５６】
図５（ｄ）に示す高保磁力磁性体１０１と中保磁力磁性体１０２からなる積層磁性体１０４では、正の出力を示した後に負の出力を示す。積層磁性体１０４では、高保磁力磁性体１０１の検知信号と中保磁力磁性体１０２の検知信号を加算した波形となる。積層磁性体１０４の検知信号は、図５（ａ）に示す高保磁力磁性体１０１と同様に正負両方に振れる出力を示す。しかし、積層磁性体１０４の検知信号では高保磁力磁性体１０１の検知信号と異なり、正負の振幅が略同じ大きさとなることから、積層磁性体１０４の検知信号と高保磁力磁性体１０１の検知信号とを区別することができる。判別対象に含まれる積層磁性体が１種類のみで、高保磁力磁性体１０１と中保磁力磁性体１０２からなる積層磁性体１０４である場合は、この判別方法により当該積層磁性体１０４が紙葉類１００上の所定の場所に存在していることを認識できる。【００５７】
図５（ｅ）に示す高保磁力磁性体１０１と低保磁力磁性体１０３からなる積層磁性体１０５では、正の出力を示した後に負の出力を示す。積層磁性体１０５では、高保磁力磁性体１０１の検知信号と低保磁力磁性体１０３の検知信号を加算した波形となる。積層磁性体１０５の検知信号は、図５（ａ）に示す高保磁力磁性体１０１と同様に正負両方に振れる出力を示す。しかし、積層磁性体１０５の検知信号では高保磁力磁性体１０１の検知信号と異なり、正負の振幅が略同じ大きさとなることから、積層磁性体１０５の検知信号と高保磁力磁性体１０１の検知信号とを区別することができる。判別対象に含まれる積層磁性体が１種類のみで、高保磁力磁性体１０１と低保磁力磁性体１０３からなる積層磁性体１０５である場合は、この判別方法により当該積層磁性体１０５が紙葉類１００上の所定の場所に存在していることを認識できる。【００５８】
この積層磁性体の判別方法において、判別すべき積層磁性体が、高保磁力磁性体１０１と中保磁力磁性体１０２との組合せ、又は高保磁力磁性体１０１と低保磁力磁性体１０３との組合せのうち、１枚の紙葉類１００の上に両組合せが共存する場合を除き、検知された積層磁性体の信号は、積層磁性体が高保磁力磁性体１０１と中保磁力磁性体１０２からなる積層磁性体１０４、又は高保磁力磁性体１０１と低保磁力磁性体１０３からなる積層磁性体１０５であると判断できる。
【００５９】
図５の（ｄ）および（ｅ）での積層磁性体の検知信号の説明では、共に高保磁力磁性体１０１が上層にある場合について説明したが、高保磁力磁性体１０１が下層にある積層磁性体の検知信号もそれぞれ同様となり、積層の位置関係には影響されない。【００６０】
なお、図５に示すように、高保磁力磁性体１０１、中保磁力磁性体１０２、低保磁力磁性体１０３、積層磁性体（１０４又は１０５）間で区別可能な波形を有する検知信号を得るためには、例えば、図１に示すように、着磁磁石２０のエッジ部分で着磁磁界の方向２０１を−１６０度付近として、磁気センサ１０に対応する位置Ｐ４のバイアス磁界の方向３０２を３０〜６０度とする。【００６１】
ただし、着磁位置Ｐ１における着磁磁界の方向２０１、磁気を検知する検知位置Ｐ４におけるバイアス磁界方向３０２及び搬送方向４００の関係については、図１に示す関係に限定されるものではない。図６は、着磁磁界の磁界方向、バイアス磁界の磁界方向及び搬送方向が異なる磁気質判別装置１について説明する図である。図６（ａ）及び（ｃ）は紙葉類１００を順方向搬送する場合の関係を示し、同図（ｂ）及び（ｄ）は紙葉類１００を逆方向搬送する場合の関係を示している。ここで、順方向搬送とは搬送方向４００とバイアス磁界の磁界方向３０１、３０５との間の角度が９０度以下となる場合を言い、逆方向搬送とは搬送方向４００とバイアス磁界の磁界方向３０３、３０６との間の角度が９０度以上となる場合を言う。【００６２】
図６（ａ）に示す順方向搬送は、図１に対応するもので、搬送方向４００を０度方向、検知位置Ｐ４のバイアス磁界の方向３０１を３０〜６０度とする場合である。順方向搬送では、図６（ａ）左図に示すように、着磁磁界の方向２０１を−１００〜−１７０度の間に設定する。【００６３】
図６（ｂ）に示す逆方向搬送の磁気検知ユニット２は、同図（ａ）に示す順方向搬送の磁気検知ユニット２をＺ軸周りに１８０度反転して設置した状態にある。図６（ｂ）に示す逆方向搬送の場合には、検知位置Ｐ４のバイアス磁界の磁界方向３０３が、順方向搬送の場合の磁界方向３０１をＺ軸に対して反転した方向、すなわち１２０〜１５０度の方向となる。そして、着磁位置Ｐ１での着磁磁界の磁界方向２０３についても、同様に、順方向搬送の場合の磁界方向２０１をＺ軸に対して反転した方向、すなわち−１０〜−８０度となる。このような着磁磁界の磁界方向２０３を実現するため、着磁ユニット３に含まれる着磁磁石２０を搬送路の上方に設置している。【００６４】
図６（ｃ）に示す順方向搬送の磁気検知ユニット２では、着磁磁界の磁界方向２０１は同図（ａ）に示す磁気検知ユニット２の着磁磁界の方向と同じ方向（−１００〜−１７０度）であるが、バイアス磁界の磁界方向３０５が、同図（ａ）に示す磁気検知ユニット２のバイアス磁界の磁界方向３０１をＹ軸に対して反転した方向、すなわち−３０〜−６０度となっている。また、図６（ｄ）に示す逆方向搬送の磁気検知ユニット２では、着磁磁界の磁界方向２０３は同図（ｂ）に示す磁気検知ユニット２と同じ方向（−１０〜−８０度）であるが、バイアス磁界の磁界方向３０６が、同図（ｂ）に示す磁気検知ユニット２のバイアス磁界の磁界方向３０３をＹ軸に対して反転した方向、すなわち−１２０〜−１５０度となっている。
【００６５】
このように、搬送方向４００を０度として、バイアス磁界の磁界方向と着磁磁界の磁界方向の組み合わせを、図６（ａ）に示す３０〜６０度と−１００〜−１７０度、同図（ｂ）に示す１２０〜１５０度と−１０〜−８０度、同図（ｃ）に示す−３０〜−６０度と−１００〜−１７０度、又は同図（ｄ）に示す−１２０〜−１５０度と−１０〜−８０度に設定すれば、図５に示すように、高保磁力磁性体１０１、中保磁力磁性体１０２、低保磁力磁性体１０３、積層磁性体（１０４又は１０５）間で区別可能な波形を有する検知信号を得ることができる。【００６６】
また、図６では、高保磁力磁性体１０１、中保磁力磁性体１０２及び低保磁力磁性体１０３をそれぞれ判別する場合を示したが、例えば、低保磁力磁性体１０３と、その他の磁性体とを判別できればよい場合には、着磁磁界の磁界方向として設定可能な角度範囲が緩和される。図７は、図６に示す磁気質判別装置１で、低保磁力磁性体１０３と、その他の磁性体、すなわち高保磁力磁性体１０１、中保磁力磁性体１０２及び積層磁性体１０４とを判別する場合の着磁磁界の磁界方向とバイアス磁界の磁界方向との関係を説明する図である。図７（ａ）〜（ｄ）が、それぞれ図６（ａ）〜（ｄ）に対応している。【００６７】
具体的には、図６（ａ）に示す順方向搬送の磁気質判別装置１で、低保磁力磁性体１０３とその他の磁性体とを判別する場合には、 図７（ａ）に示すように、着磁磁界の磁界方向を８０〜１００度以外の方向に設定すればよい。同様に、図６（ｂ）〜（ｄ）に示す磁気質判別装置１でも、低保磁力磁性体１０３とその他の磁性体とを判別する場合には、図７（ｂ）〜（ｄ）に示すように、着磁磁界の磁界方向を８０〜１００度以外の方向に設定すればよい。このように設定することで、図５に示すように、低保磁力磁性体１０３では正出力のみを示し、その他の磁性体では一部又は全部が負出力となるので、これらを判別することが可能となる。【００６８】
すなわち、搬送方向４００を０度として、バイアス磁界の磁界方向を３０〜６０度（図７（ａ））又は１２０〜１５０度（図７（ｂ））に設定して、着磁磁界の磁界方向を８０〜１００度を除く角度範囲に設定するか、又はバイアス磁界の磁界方向を−３０〜−６０度（図７（ｃ））又は−１２０〜−１５０度（図７（ｄ））に設定して着磁磁界の磁界方向を８０〜１００度を除く角度範囲に設定すれば、低保磁力磁性体１０３とその他の磁性体とを判別することができる。【００６９】
図８は、図６（ｂ）に示す逆方向搬送の場合の磁気質判別方法を説明するための模式図である。図８（ｂ）は、磁気質判別装置１の概要を示し、同図（ａ）には、保磁力が異なる３種類の磁性体の磁化状態を示している。装置構成としては、着磁磁石２０を含む着磁ユニット３が搬送路の上方に配置される点と、磁気センサ１０及びバイアス磁石３０を含む磁気検知ユニット２がＺ軸周りに反転した形で配置される点とが、図１に示す磁気質判別装置１と異なっている。図８（ｂ）に示す磁気質判別装置１では、着磁磁界の磁界方向２０３及びバイアス磁界の磁界方向３０３が、図１（ｂ）に示す方向２０１及び３０２をＺ軸に対して反転した方向となる。【００７０】
紙葉類１００に含まれる磁性体が高保磁力磁性体である場合には、着磁ユニット３の下方を搬送方向４００へ搬送されると、着磁磁界の磁界強度（４５００Ｇ）が強力であるため、図８（ｂ）に示す位置Ｐ１を通過する際に、飽和磁化状態又は飽和磁化状態に近い磁化状態に着磁される。このとき、図８（ａ）に示すように、高保磁力磁性体の磁化方向５１１ａは、位置Ｐ１における着磁磁界の方向２０３と同じ方向（−２０度付近）となる。紙葉類１００が搬送方向４００へ搬送されても、これ以降は、高保磁力磁性体の磁化状態を変えるほどの磁界が存在しないため、その後の磁化方向５１２ａ、５１３ａ及び５１４ａは、着磁時の磁化方向５１１ａ、すなわち着磁磁界の磁界方向２０３と同じ方向のままとなる。【００７１】
紙葉類１００に含まれる磁性体が中保磁力磁性体である場合には、位置Ｐ１で飽和磁化状態に着磁される。ところが、高保磁力磁性体に比べて保磁力が小さいために、搬送方向４００へ搬送される間に、着磁磁界及びバイアス磁界による影響を受け続けて、位置Ｐ２での磁化方向５１２ｂ、位置Ｐ３での磁化方向５１３ｂが変化する。具体的には、位置Ｐ２での磁化方向５１２ｂは位置Ｐ２の磁界方向２０４となり、位置Ｐ３での磁化方向５１３ｂは位置Ｐ２の磁界方向２０４と位置Ｐ３のバイアス磁界の磁界方向３０４との間の方向となる。そして、最終的な磁化方向５１４ｂは、位置Ｐ３での磁化方向５１３ｂと、その後の位置Ｐ４のバイアス磁界の磁界方向３０３との間の方向となる。なお、図８では磁化の強度は示さず方向のみを示しているが、位置Ｐ４の磁界方向３０３と位置Ｐ３での磁化方向５１３ｂとが逆向きであるために中保磁力磁性体の保磁力が弱められ、図９（ｂ）に示すように中保磁力磁性体の検知波形は振幅が小さくなる。【００７２】
紙葉類１００に含まれる磁性体が低保磁力磁性体である場合には、保磁力が小さいために、搬送方向４００へ搬送される間、着磁磁界及びバイアス磁界による影響を受け続け、各位置Ｐ１〜Ｐ４での磁化方向５１１ｃ〜５１４ｃは、その位置での磁界方向２０３、２０４、３０４及び３０３と同じ方向となる。【００７３】
このように、逆方向搬送の場合も、図１に示す順方向搬送の場合と同様に、磁性体を検知する検知位置Ｐ４で、高保磁力磁性体の磁化方向５１４ａ、中保磁力磁性体の磁化方向５１４ｂ及び低保磁力磁性体の磁化方向５１４ｃを全て異なる方向とすることができる。これにより、図５に示す順方向搬送の検知信号と同様に、高保磁力磁性体１０１、中保磁力磁性体１０２、低保磁力磁性体１０３、積層磁性体（１０４又は１０５）間で異なる波形の検知信号を得ることができる。【００７４】
図９は、図８（ｂ）に示す逆方向搬送の磁気質判別装置１で、高保磁力磁性体１０１、中保磁力磁性体１０２、低保磁力磁性体１０３及び積層磁性体１０４、１０５を磁気検知ユニット２で検知した際の検知信号の波形を示している。縦軸が磁気センサ１０の出力、横軸が時間を示しており、各磁性体を含む紙葉類１００が位置Ｐ４を通過した際に磁気センサ１０から出力される検知信号が図９に示す波形となる。なお、図９でも、図５と同様に、各図の上部に検知信号に対応する各磁性体１０１〜１０５を示している。【００７５】
図９（ｃ）に示す低保磁力磁性体１０３の検知信号の波形は、逆方向搬送の場合でも、順方向搬送の場合と同様に、略全域で正の出力を示し、波形はピーク位置に対して略左右対称な波形となる。【００７６】
図９（ｂ）に示す中保磁力磁性体１０２の検知信号では、略全域で正の出力を示す。この検知信号は、低保磁力磁性体１０３と同様に正の出力を示すが、ピーク位置に対して左右非対称な波形となることから、低保磁力磁性体１０３の検知信号と区別することができる。【００７７】
図９（ａ）に示す高保磁力磁性体１０１の検知信号では、負の出力を示した後に正の出力を示す。この検知信号は、検知信号の大半で負の出力を示すことから、低保磁力磁性体１０３及び中保磁力磁性体１０２の検知信号と区別することができる。【００７８】
図９（ｄ）及び（ｅ）に示す積層磁性体１０４、１０５では、負の出力を示した後に正の出力を示す。図９（ｄ）の積層磁性体１０４では、高保磁力磁性体１０１の出力と中保磁力磁性体１０２の波形を加算した波形となり、同図（ｅ）の積層磁性体１０５では、高保磁力磁性体１０１と低保磁力磁性体１０３の波形を加算した波形となる。積層磁性体１０４、１０５の検知信号は、図９（ａ）に示す高保磁力磁性体１０１と同様に正負両方の出力を示す。しかし、積層磁性体１０４、１０５の検知信号では高保磁力磁性体１０１の検知信号と異なり正負の振幅が略同じ大きさとなることから、積層磁性体１０４、１０５の検知信号と高保磁力磁性体１０１の検知信号とを区別することができる。【００７９】
順方向搬送ではバイアス磁界内に進入してすぐに磁気を検知する位置Ｐ４に到達するが、逆方向搬送では、位置Ｐ４に至るまでの間に中保磁力磁性体１０２に対するバイアス磁界の影響が大きくなる。具体的には、バイアス磁界の影響を受けて中保磁力磁性体１０２の磁化量が減少し、図５（ｂ）及び図９（ｂ）の検知信号の比較から分かるように、逆方向搬送の検知信号は順方向搬送の検知信号より振幅が小さい波形となる。なお、高保磁力磁性体１０１については、保磁力に比べてバイアス磁界の磁界強度が小さいために、バイアス磁界の影響を受けることはない。【００８０】
このように、順方向搬送と逆方向搬送とで磁性体の検知信号波形が異なるが、いずれの場合でも、高保磁力磁性体１０１、中保磁力磁性体１０２、低保磁力磁性体１０３、積層磁性体（１０４又は１０５）で異なる検知信号を示すため、検知信号に基づいて、各磁性体１０１〜１０３のそれぞれ及び、１０４又は１０５を判別することができる。【００８１】
検知信号に基づく高保磁力磁性体１０１、中保磁力磁性体１０２、低保磁力磁性体１０３のそれぞれ及び、積層磁性体（１０４又は、１０５）の判別は、検知信号の振幅とピーク位置に対する信号波形の対称性とに基づいて判定する。例えば、負側のピーク位置の振幅が所定値より大きい場合は、負の出力が得られた時間と正の出力が得られた時間との割合から、検知信号の大半が負の出力であれば高保磁力磁性体１０１と判定し、そうでなければ積層磁性体１０４と判定する。また、負側のピーク位置の振幅が所定値より小さい場合は、正側の波形がピーク位置に対して略対称な波形であれば低保磁力磁性体１０３と判定し、非対称な波形であれば中保磁力磁性体１０２と判定する。なお、信号波形の対称性を判定する方法は特に限定されないが、例えば、ピーク位置から、両方向で振幅が０（ゼロ）となる位置までの横軸方向の距離を比較して対称性を判定してもよいし、元波形とピーク位置を軸として左右反転した波形との相関性から対称性を判定しても構わない。【００８２】
本実施例に係る磁気質判別装置１によれば、高保磁力磁性体、中保磁力磁性体、低保磁力磁性体及び積層磁性体を判別できるので、紙葉類１００の種類によって、含まれる磁性体が異なる場合でも、各紙葉類１００に含まれる磁性体の種類を判別して、紙葉類１００の真偽判定を行うことができる。また、紙葉類１００に、各磁性体によりパターンが描かれている場合でもこれを認識することができる。また、各磁性体の組み合わせによりコードが形成されている場合でも、各磁性体を正確に判別してコードを認識することができる。【００８３】
上述してきたように、本実施例によれば、着磁ユニット３による着磁磁界の磁界強度及び磁界方向と、磁気検知ユニット２によるバイアス磁界の磁界強度及び磁界方向とを適切に設定することにより、磁気検知ユニット２により磁気を検知する位置で、各磁性体の磁化方向を異なる方向とすることができるので、磁気を検知した検知信号の特徴から各磁性体を判別することができる。【００８４】
例えば、着磁磁界の磁界強度を、高保磁力磁性体を飽和磁化状態にする磁界強度として、バイアス磁界の磁界強度を、低保磁力磁性体を飽和磁化状態としてかつ中保磁力磁性体を飽和磁化状態に磁化することのない磁界強度にすると共に、磁気検知ユニット２によって磁性体を検知する位置のバイアス磁界の方向を、各磁性体を着磁する磁界の方向と異なる方向に設定することにより、検知信号の振幅及び波形から高保磁力磁性体、中保磁力磁性体、低保磁力磁性体及び積層磁性体を判別することができる。【００８５】
また、例えば、１つの着磁磁石２０のみで上述した着磁磁界を実現して、１つの磁気センサ１０により検知信号を得て各磁性体を判別することができるので、磁気質判別装置１を小型かつ安価な装置とすることができる。
【実施例２】
【００８６】
次に、実施例１と同様の原理で保磁力の異なる磁性体を検出する磁気質判別装置１の他の例について説明する。図１０は、本実施例に係る磁気質判別装置１による磁気質判別方法を説明するための模式図である。図１０（ｂ）は磁気質判別装置１の概要を示し、同図（ａ）は保磁力が異なる３種類の磁性体の磁化状態を示し、同図（ｃ）は着磁ユニット３における着磁磁界の磁界強度及び磁界の向きを示している。【００８７】
このように、本実施例では、着磁ユニット３が磁石２０及び導磁体（ヨーク）２１を含む点が実施例１と異なっている。例えば鉄板等、透磁率の高い材料を導磁体２１として利用する。なお、以下では、実施例１と重複する説明は省略して、本実施例に係る特徴について説明する。【００８８】
図１０（ｂ）に示すように、磁気質判別装置１は、装置上方を搬送される紙葉類１００に含まれる磁性体を着磁するための着磁ユニット３と、紙葉類１００に含まれる磁性体の磁気を検知するための磁気検知ユニット２とを有している。【００８９】
着磁ユニット３は着磁磁石２０と導磁体２１とを含む。着磁磁石２０は、紙葉類１００の搬送方向４００に垂直な側方（Ｘ軸方向）から見た側面形状に特徴を有している。具体的には、図１に示す矩形側面の着磁磁石２０の上面側で搬送方向下流側（図面右上隅部）の一部を切り欠いた側面形状を有し、搬送面（ＸＹ平面）と平行な搬送方向上流側の第１磁極面と、搬送面と平行な搬送方向下流側の第２磁極面とが、斜面で接続された形状となっている。上流側の第１磁極面よりも下流側の第２磁極面の方が搬送面から離れた位置にあり、搬送方向に向けて搬送面からの距離が徐々に拡大するように設けられた斜面が、上流側の第１磁極面と下流側の第２磁極面とを接続している。【００９０】
導磁体２１は、着磁磁石２０から搬送方向下流側に離れた位置に配置されており、縦方向（Ｚ軸方向）に長い矩形の側面形状を有している。導磁体２１は、搬送面と平行な上面と搬送面との間の距離が、着磁磁石２０の搬送方向上流側の第１磁極面よりも離れた位置となりかつ搬送方向下流側の第２磁極面よりも近い位置となるように配置されている。導磁体２１の底面は着磁磁石２０の底面と同じ高さにある。【００９１】
着磁ユニット３は、位置Ｐ１、すなわち第１磁極面の搬送方向下流側端部に対応する位置で着磁磁界の磁界強度が最大となるように構成されている。具体的には、着磁磁石２０及び導磁体２１により、搬送路上の位置Ｐ１の磁界強度が高保磁力磁性体の保磁力（３０００Ｏｅ）の１．５倍以上（４５００Ｇ以上）となるように設定されている。また、着磁ユニット３は、位置Ｐ１よりも搬送方向下流側の位置Ｐ２の磁界強度が、中保磁力磁性体の保磁力（３００Ｏｅ）の１．５倍以上かつ高保磁力磁性体の保磁力の１倍以下（４５０〜３０００Ｇ）となるように設定されている。すなわち、搬送路上の位置Ｐ１を含む第１磁界領域の磁界強度と、位置Ｐ１よりも搬送方向下流側にある位置Ｐ２を含む第２磁界領域の磁界強度とが所定の磁界強度となるように着磁ユニット３が構成されている。【００９２】
また、着磁ユニット３では、着磁磁石２０及び導磁体２１により、図１０（ｂ）に破線の曲線矢印で示した方向に着磁磁界を発生させる。具体的には、位置Ｐ１での着磁磁界の磁界方向１２０１が−１００〜−１７０度、位置Ｐ２での着磁磁界の磁界方向１２０２が１００〜１８０度の間となるように着磁磁界を発生させる。 すなわち、搬送路上の位置Ｐ１を含む第１磁界領域の磁界方向と、位置Ｐ１よりも搬送方向下流側にある位置Ｐ２を含む第２磁界領域の磁界方向とが所定の磁界方向となるように着磁ユニット３が構成されている。例えば、位置Ｐ１での磁界方向１２０１が−１２０度近傍、位置Ｐ２での磁界方向１２０２が１２０度近傍であることが好ましい。以下では、位置Ｐ１での磁界方向１２０１を−１２０度、位置Ｐ２での磁界方向１２０２を１２０度であるものとして説明を続ける。【００９３】
図１０（ｃ）では、着磁ユニット３による着磁磁界の大きさを破線矢印の長さで示し、着磁磁界の向きを破線矢印の向きで示している。このように、着磁ユニット３では、着磁磁石２０の搬送方向上流側にある第１磁極面から搬送方向下流側へ向かうにつれて着磁磁界の磁界強度が徐々に弱くなる。また、位置Ｐ１の磁界方向１２０１を−１２０度として、この位置から搬送方向下流側へ向かうにつれて、着磁磁界の磁界方向が−１２０度から−１８０度方向へ向けて図面上時計回りに徐々に回転する。そして、さらに搬送方向下流側へ向かうにつれて、着磁磁界の磁界方向が−１８０度（１８０度）から位置Ｐ２の磁界方向１２０２である１２０度方向へ向けて図面上時計回りに徐々に回転する。【００９４】
このように、本実施例では、着磁ユニット３によって発生させた着磁磁界が、搬送路上の位置Ｐ１を含む第１磁界領域と、位置Ｐ１よりも搬送方向下流側の搬送路上の位置Ｐ２を含む第２磁界領域とを含み、第１磁界領域及び第２磁界領域で磁界強度及び磁界方向が異なる点を１つの特徴としている。着磁ユニット３を構成する着磁磁石２０及び導磁体２１によって発生する着磁磁界は、搬送路上の位置Ｐ１から位置Ｐ２へ向かうにつれて、磁界強度が徐々に弱まると共に磁界方向が徐々に回転する。例えば、位置Ｐ１の磁界方向１２０１が−１２０度、位置Ｐ１の磁界強度が高保磁力磁性体の１．５倍以上、位置Ｐ２の磁界方向１２０２が１２０度、位置Ｐ２の磁界強度が中保磁力磁性体の保磁力の１．５倍以上かつ高保磁力磁性体の保磁力の１倍以下に設定される。【００９５】
この結果、図１０（ａ）に示すように、紙葉類１００に含まれる磁性体が高保磁力磁性体である場合には、位置Ｐ１での高保磁力磁性体の磁化方向１５０１ａが、位置Ｐ１における第１磁界領域の磁界方向１２０１と同じ方向（−１２０度付近）となる。紙葉類１００はさらに搬送方向４００へ搬送されるが、着磁磁界の磁界強度は徐々に弱まるため、高保磁力磁性体の磁化状態は変化せず、位置Ｐ２〜Ｐ４でも、高保磁力磁性体の磁化方向１５０２ａ、１５０３ａ、１５０４ａは、位置Ｐ１での磁化方向１５０１ａと同じ方向となる。【００９６】
紙葉類１００に含まれる磁性体が中保磁力磁性体である場合には、高保磁力磁性体の場合と同様に位置Ｐ１で飽和磁化状態に着磁されるため、磁化方向１５０１ｂは、第１磁界領域の磁界方向１２０１と同じ方向（−１２０度付近）となる。ところが、中保磁力磁性体は、高保磁力磁性体に比べて保磁力が小さいために、搬送方向４００へ搬送される間、着磁磁界による影響を受け続ける。このため、位置Ｐ２を通過するときには、中保磁力磁性体の磁化方向１５０２ｂは第２磁界領域の磁界方向１２０２と同じ方向（１２０度付近）となる。紙葉類１００がさらに搬送されるとバイアス磁界による影響を受けて、位置Ｐ３では、位置Ｐ３のバイアス磁界の磁界方向３０１の方向へ向けて、位置Ｐ２での磁化方向１５０２ｂから僅かに回転した磁化方向１５０３ｂとなる。そして、位置Ｐ４でも該位置でのバイアス磁界の磁界方向３０２へ向けて、位置Ｐ３の磁化方向１５０３ｂから僅かに回転した磁化方向１５０４ｂとなる。ただし、バイアス磁界の磁界強度（４５０Ｇ）は、中保磁力磁性体の保磁力（３００Ｏｅ）を飽和磁化状態にする磁界強度より小さいために、中保磁力磁性体の最終的な磁化方向は、第２磁界領域の位置Ｐ２での磁化方向１５０２ｂ（１２０度付近）と位置Ｐ４でのバイアス磁界の磁界方向３０２（３０〜６０度）との間の磁化方向１５０４ｂとなる。【００９７】
紙葉類１００に含まれる磁性体が低保磁力磁性体である場合には、他の磁性体の場合と同様に位置Ｐ１で飽和磁化状態に着磁され、磁化方向１５０１ｃは、第１磁界領域の磁界方向１２０１と同じ方向（−１２０度付近）となる。ところが、低保磁力磁性体は保磁力が小さいために、搬送方向４００へ搬送される間、着磁磁界による影響を受け続ける。このため、中保磁力磁性体と同様に、位置Ｐ２を通過するときの磁化方向１５０２ｃは、第２磁界領域流域の磁界方向１２０２と同じ方向（１２０度付近）となる。紙葉類１００がさらに搬送されるとバイアス磁界による影響を受けて、位置Ｐ３では、バイアス磁界の磁界方向３０１と同じ磁化方向１５０３ｃとなる。そして、位置Ｐ４でもバイアス磁界の磁界方向３０２と同じ磁化方向１５０４ｃとなる。バイアス磁界の磁界強度（４５０Ｇ）が低保磁力磁性体の保磁力（５０Ｏｅ）より十分に大きく、低保磁力磁性体が各位置で飽和磁化状態となるために、各位置での低保磁力磁性体の磁化方向は、各位置でのバイアス磁界の方向と一致する方向となる。【００９８】
このように、本実施例でも、実施例１の場合と同様に磁気検知ユニット２による磁性体の検知位置Ｐ４で、各磁性体をそれぞれの保磁力に応じた磁化方向とすることができる。そして、実施例１で説明したように、搬送路を通過する磁性体を検知する信号から磁性体の種類を判別することができる。【００９９】
次に、位置Ｐ１での着磁磁界の磁界方向１２０１が−１２０度近傍、磁界方向１２０２が１２０度近傍であることが好ましいことの理由について説明する。図１０（ａ）に示したように、磁気検知ユニット２によって紙葉類１００に含まれる磁性体を検知する位置Ｐ４では、高保磁力磁性体の磁化方向１５０４ａは位置Ｐ１での第１磁界領域の磁界方向１２０１と同じ方向となり、中保磁力磁性体の磁化方向１５０４ｂは位置Ｐ２での第２磁界領域の磁界方向１２０２から僅かにバイアス磁界の磁界方向３０２の方向へ回転した方向となる。【０１００】
図１１は、（ａ）〜（ｄ）が高保磁力磁性体をそれぞれ磁化方向１５０７〜１５１０に磁化した際の磁性体の直下近傍（約０．５ｍｍ位置）におけるＺ軸方向の磁界分布を示し、（ｅ）〜（ｈ）は中保磁力磁性体をそれぞれ磁化方向１５１１〜１５１４に磁化した際の磁性体の直下近傍（約０．５ｍｍ位置）におけるＺ軸方向の磁界分布を示している。具体的には、図１１（ａ）の磁化方向１５０７が−１８０度、同図（ｂ）の磁化方向１５０８が−１６０度、同図（ｃ）の磁化方向１５０９が−１２０度、同図（ｄ）の磁化方向１５１０が−９０度である。また、図１１（ｅ）の磁化方向１５１１が１８０度、同図（ｆ）の磁化方向１５１２が１６０度、同図（ｇ）の磁化方向１５１３が１２０度、同図（ｈ）の磁化方向１５１４が９０度である。位置Ｐ１での磁界方向１２０１を−１８０度、−１６０度、−１２０度、−９０度とした場合に、位置Ｐ４で高保磁力磁性体の磁界分布が図１１（ａ）〜（ｄ）に示す分布となり、位置Ｐ２での磁界方向１２０２を１８０度、１６０度、１２０度、９０度とした場合に、位置Ｐ４での中保磁力磁性体の磁界分布が同図（ｅ）〜（ｈ）に示す分布と略同じ分布となる。そして、この磁界分布が磁気検知ユニット２によって検知されることになる。【０１０１】
磁気検知ユニット２では、図１１（ａ）〜（ｄ）に示す磁界分布の分布形状を左から右へたどるように、磁気信号が検知される。図１１（ｂ）に示すように−１６０度の磁化方向１５０８に磁化された高保磁力磁性体では、負側の磁界分布に対応する磁気信号が検知された後に、正側の磁界分布に対応するオーバーシュートの磁気信号が検知される。このオーバーシュート分の磁気信号は、−１６０度の磁化方向１５０８に磁化した図１１（ｂ）に示す磁界分布よりも、−１２０度の磁化方向１５０９に磁化した同図（ｃ）に示す磁界分布の方が小さくなるので、磁化方向は−１６０度よりも−１２０度とする方が好ましい。【０１０２】
同様に、磁気検知ユニット２では、図１１（ｅ）〜（ｈ）に示す磁界分布の分布形状を右から左へたどるように、磁気信号が検知される。図１１（ｆ）に示すように１６０度の磁化方向１５１２に磁化された中保磁力磁性体では、正側の磁界分布に対応する磁気信号が検知された後に、負側の磁界分布に対応するオーバーシュートの磁気信号が検知される。このオーバーシュート分の磁気信号は、１６０度の磁化方向１５１２に磁化した図１１（ｆ）に示す磁界分布よりも、１２０度の磁化方向１５１３に磁化した同図（ｇ）に示す磁界分布の方が小さくなるので、磁化方向は１６０度よりも１２０度付近とする方が好ましい。【０１０３】
なお、オーバーシュートのみを考慮した場合には、高保磁力磁性体では、磁化方向１５０９が−１２０度の図１１（ｃ）よりも、磁化方向１５１０が−９０度の同図（ｄ）の方が好ましい。同様に、中保磁力磁性体では、磁化方向１５１３が１２０度の同図（ｇ）よりも、磁化方向１５１４が９０度の同図（ｈ）の方が好ましい。しかし、第１磁界領域の磁界方向１２０１を−９０度、第２磁界領域の磁界方向１２０２を９０度に設定すると、高保磁力磁性体と中保磁力磁性体とを積層した積層磁性体を検知しようとした場合に、図１１（ｄ）と同図（ｈ）に示す磁界分布を加算した検知波形となるため、磁界分布が相殺され、積層磁性体を検知できなくなる。このため、本実施例では、高保磁力磁性体、中保磁力磁性体、高保磁力磁性体と中保磁力磁性体の積層磁性体のそれぞれを位置Ｐ４の検知信号に基づいて判別するために、位置Ｐ１での磁界方向１２０１を−１２０度付近、位置Ｐ２での磁界方向１２０２を１２０度付近としている。【０１０４】
実施例１で図６を参照しながら説明したように、本実施例においても、着磁磁界の磁界方向及びバイアス磁界の磁界方向が、図１０に示した例に限定されるものではない。図１２は、図１０に示した構成を図６（ａ）と同様に示したものである。図６（ａ）と同図（ｂ）〜（ｄ）との関係から明らかである通り、図１２に示す着磁ユニット３及び磁気検知ユニット２の配置位置や向きを図６（ｂ）〜（ｄ）と対応するように変更した場合にも、図１０と同様に、保磁力に応じて磁性体を異なる方向に磁化することにより各磁性体の種類を判別することができる。【０１０５】
実施例１で図１及び図８を参照しながら説明したように、本実施例に係る着磁磁界の磁界方向１２０１、１２０２、磁気を検知する検知位置Ｐ４におけるバイアス磁界の磁界方向３０２及び搬送方向４００の関係についても、図１０に示す順方向搬送に限定されるものではなく、逆方向搬送の関係であっても構わない。【０１０６】
図１３は、逆搬送方向の場合の磁気質判別方法を説明するための模式図である。図１３（ｂ）は磁気質判別装置１の概要を示し、同図（ａ）は保磁力が異なる３種類の磁性体の磁化状態を示している。装置構成としては、着磁ユニット３が搬送路の上方で、Ｙ軸周りに反転した形で配置される点と、磁気検知ユニット２がＺ軸周りに反転した形で配置される点とが、図１０に示す磁気質判別装置１と異なっている。図１３（ｂ）に示す磁気質判別装置１では、着磁磁界の磁界方向１２０３、１２０４及びバイアス磁界の磁界方向３０３が、図１０（ｂ）に示す着磁磁界の磁界方向１２０１、１２０２及びバイアス磁界の磁界方向３０２をそれぞれＺ軸に対して反転した方向となる。【０１０７】
紙葉類１００に含まれる磁性体が高保磁力磁性体である場合には、紙葉類１００が搬送方向４００へ搬送されると、着磁磁界の磁界強度（４５００Ｇ）が強力であるため、図１３（ｂ）に示す位置Ｐ１を通過する際に、飽和磁化状態又は飽和磁化状態に近い磁化状態に着磁される。このとき、図１３（ａ）に示すように、高保磁力磁性体の磁化方向１５１１ａは、位置Ｐ１における着磁磁界の磁界方向１２０３と同じ方向（−６０度付近）となる。紙葉類１００が搬送方向４００へ搬送されても、これ以降は、高保磁力磁性体の磁化状態を変えるほどの磁界が存在しないため、その後の磁化方向１５１２ａ、１５１３ａ及び１５１４ａは、着磁時の磁化方向１５１１ａ、すなわち着磁磁界の磁界方向１２０３と同じ方向のままとなる。【０１０８】
紙葉類１００に含まれる磁性体が中保磁力磁性体である場合には、位置Ｐ１で飽和磁化状態に着磁される。ところが、高保磁力磁性体に比べて保磁力が小さいために、搬送方向４００へ搬送される間に、着磁磁界及びバイアス磁界による影響を受け続けて、位置Ｐ２での磁化方向１５１２ｂ、位置Ｐ３での磁化方向１５１３ｂが変化する。具体的には、位置Ｐ２での磁化方向１５１２ｂは位置Ｐ２の磁界方向１２０４（６０度付近）となり、位置Ｐ３での磁化方向１５１３ｂは位置Ｐ２の磁界方向１２０４と位置Ｐ３のバイアス磁界の磁界方向３０４との間の方向となる。そして、最終的な磁化方向１５１４ｂは、位置Ｐ３での磁化方向１５１３ｂと、その後の位置Ｐ４のバイアス磁界の磁界方向３０３との間の方向となる。なお、位置Ｐ４の磁界方向３０３と位置Ｐ３での磁化方向１５１３ｂとが逆向きであるために中保磁力磁性体の保磁力が弱められ、中保磁力磁性体の検知波形は順方向搬送の場合に比べて振幅が小さくなる。【０１０９】
紙葉類１００に含まれる磁性体が低保磁力磁性体である場合には、保磁力が小さいために、搬送方向４００へ搬送される間、着磁磁界及びバイアス磁界による影響を受け続け、各位置Ｐ１〜Ｐ４での磁化方向１５１１ｃ〜１５１４ｃは、その位置での磁界方向１２０３、１２０４、３０４及び３０３と同じ方向となる。【０１１０】
このように、逆方向搬送の場合も、図１０に示す順方向搬送の場合と同様に、磁性体を検知する検知位置Ｐ４で、高保磁力磁性体の磁化方向１５１４ａ、中保磁力磁性体の磁化方向１５１４ｂ及び低保磁力磁性体の磁化方向１５１４ｃを全て異なる方向とすることができる。これにより、高保磁力磁性体、中保磁力磁性体、低保磁力磁性体、積層磁性体の間で異なる波形の検知信号を得ることができる。【０１１１】
図１０、図１２及び図１３に示したように、搬送路の一方側に着磁ユニット３を配置した場合には、磁性体を含む紙葉類１００が搬送路から浮き上がって、着磁ユニット３から離れた位置を通過することがないように、紙葉類１００が通過する位置を規制することが好ましい。図１４は、搬送路での紙葉類１００の通過位置を規制するための構成例を示す図である。このように、搬送路を挟んで着磁磁石２０と反対側の位置に、回転可能に軸支されたブラシローラ５０を配置する。ブラシローラ５０によって、紙葉類１００は、着磁磁石２０の方向へ押し付けられた状態で搬送方向４００へ搬送される。これにより、搬送方向上流側で搬送面と平行な着磁磁石２０の第１磁極面から紙葉類１００が離れ過ぎないように、紙葉類１００の通過位置を規制することができる。【０１１２】
また、図１０で示した位置Ｐ１での磁界方向１２０１及び位置Ｐ２での磁界方向１２０２を実現できれば、着磁磁石２０及び導磁体２１の形状が、図１０に示した形状に限定されるものではない。図１５は、着磁磁石２０及び導磁体２１の側面形状の例を示す図である。図１５では、紙葉類１００の搬送方向４００が図面水平方向右側となるように着磁磁石２０及び導磁体２１の側面形状を示している。【０１１３】
図１５（ａ）に示す第１磁界領域の磁界方向の角度αを−１２０度近傍とするため、搬送面と平行な搬送方向上流側の第１磁極面と、搬送面と平行な搬送方向下流側の第２磁極面とを接続する斜面は、搬送面との間の角度θが１５度〜８５度となるように形成されればよい。また、搬送面と着磁磁石２０の第２磁極面との間の距離ｄ１は１ｍｍ程度あればよく、搬送面と導磁体２１の上面との間の距離ｄ２は０．５〜１ｍｍ程度あればよい。【０１１４】
また、導磁体２１の側面形状は、図１５（ｂ）に示すようにＬ字を回転した形状であってもよいし、同図（ｃ）に示すようにＬ字を反転した形状で着磁磁石２０の底面と接するように配置された形状であってもよいし、同図（ｄ）に示すようにＳ字形で着磁磁石２０の底面と接するように配置された形状であっても構わない。【０１１５】
図１６は、着磁磁石２０の側面形状の別の例を示す図である。図１６でも紙葉類１００の搬送方向４００が図面水平方向右側となるように着磁磁石２０の側面形状の上側一部を示している。図１０（ｃ）に示したように、位置Ｐ１に対応する着磁磁石２０の上面側の一点で磁界強度が最大値を示し、この位置から導磁体２１に対応する位置Ｐ２へ向かうにつれて着磁磁界の磁界強度を弱めながら磁界方向を徐々に変化させることができれば、着磁磁石２０の上面側の側面形状が、図１６（ａ）〜（ｄ）に示すような面取形状であっても構わない。具体的には、図１６（ａ）に示すように、図１５（ａ）の角度θ及び距離ｄ１と対応するように着磁磁石２０上面側の搬送方向下流側（図面右上隅部）の一部を切り欠いた側面形状であってもよいし、同図（ｂ）に示すように切欠部分が折れ曲がった側面形状、同図（ｃ）に示すように切欠部分が曲面となる側面形状、同図（ｄ）に示すように切欠部分が階段状の側面形状等であっても構わない。【０１１６】
また、矩形の側面形状を有する着磁磁石２０を利用して図１０に示す着磁磁界の磁界方向１２０１、１２０２を実現する態様であっても構わない。図１７は、着磁磁石２０の配置角度又は着磁磁石２０の磁化角度によって、着磁磁界の磁界方向を調整する例を示す図である。図１７では白矢印が磁石２０自体の磁化方向を示している。図１７（ａ）に示すように、側面矩形形状の一辺と平行な磁化方向を有する着磁磁石２０を傾けて、上面側の搬送方向下流側端部での着磁磁界の磁界方向と搬送方向４００との間の角度αが−１２０度となるように、搬送方向４００との間の角度βを調整して着磁磁石２０を配置する態様であってもよい。また、図１７（ｂ）に示すように、側面矩形形状の着磁磁石２０を、該矩形形状の一辺と搬送方向４００とが平行となるように配置した際に、上面側の搬送方向下流側の端部での着磁磁界の磁界方向と搬送方向４００との間の角度αが−１２０度となるように、着磁磁石２０の磁化方向を調整する態様であっても構わない。例えば、矩形形状に切り出した磁性体を図１７（ｂ）に白矢印で示す磁化方向となるように着磁して着磁磁石２０とする態様であってもよいし、所定方向に着磁した磁石から図１７（ｂ）に白矢印で示す磁化方向となるように着磁磁石２０を切り出して利用する態様であってもよい。また、着磁磁石２０のみとする他、着磁磁石２０の一端側に図１７（ａ）及び（ｂ）に破線矩形で示したように導磁体２１を設ける態様であっても構わない。【０１１７】
上述してきたように、本実施例によれば、搬送路上の位置Ｐ１を含む第１磁界領域と、この位置Ｐ１よりも下流側にある搬送路上の位置Ｐ２を含む第２磁界領域とで、それぞれの磁界方向１２０１、１２０２が所定角度となるように、かつ、第１磁界領域の磁界強度及び第２磁界領域の磁界強度がそれぞれ適切な磁界強度となるように、着磁磁石２０の磁界強度、着磁磁石２０の形状、導磁体２１の形状、着磁磁石２０及び導磁体２１の配置関係等を適切に設定することにより、磁気検知ユニット２により磁気を検知する位置Ｐ４で、各磁性体の磁化方向を保磁力に応じて異なる方向とすることができるので、磁気を検知した検知信号の特徴から保磁力の異なる磁性体の種類を判別することができる。
【産業上の利用可能性】
【０１１８】
以上のように、本発明は、小型の磁気質判別装置により保磁力の異なる複数の磁性体を検知して判別するために有用な技術である。
【符号の説明】
【０１１９】
１  磁気質判別装置
２  磁気検知ユニット
３  着磁ユニット
１０  磁気センサ
２０  着磁磁石
２１  導磁体
３０  バイアス磁石
５０  ブラシローラ
１００  紙葉類
【図１】
0006049864.tif 000002
【図２】
0006049864.tif 000003
【図３】
0006049864.tif 000004
【図４】
0006049864.tif 000005
【図５】
0006049864.tif 000006
【図６】
0006049864.tif 000007
【図７】
0006049864.tif 000008
【図８】
0006049864.tif 000009
【図９】
0006049864.tif 000010
【図１０】
0006049864.tif 000011
【図１１】
0006049864.tif 000012
【図１２】
0006049864.tif 000013
【図１３】
0006049864.tif 000014
【図１４】
0006049864.tif 000015
【図１５】
0006049864.tif 000016
【図１６】
0006049864.tif 000017
【図１７】
0006049864.tif 000018